(57)【要約】【課題】撮像装置毎に画像データを管理できるようにすること。【解決手段】医療画像情報にかかるレコード部を備えるデータベース部を備える医療画像情報管理システムにおいて、前記レコード部に、撮像装置を判別する識別ラベルを定義するフィールドを設定したことを特徴とする医療画像情報管理システム。【選択図】      図１
2004326276.tif 000002
【特許請求の範囲】
【請求項１】
医療画像情報にかかるレコード部を備えるデータベース部を備える医療画像情報管理システムにおいて、前記レコード部に、撮像装置を判別する識別ラベルを定義するフィールドを設定したことを特徴とする医療画像情報管理システム。
【請求項２】
前記レコード部は、前記識別ラベル毎のディレクトリを指定するファイル・パスを定義することを特徴とする請求項１記載の医療画像情報管理システム。
【請求項３】
前記識別ラベルは、撮像装置の種別を表わすＡＥ−Ｔｉｔｌｅであることを特徴とする請求項１または請求項２のいずれかに記載の医療画像情報管理システム。
【請求項４】
前記レコード部は、前記医療画像情報にかかる画像データを格納するストレージ部を指定することを特徴とする請求項１、請求項２または請求項３のいずれかに記載の医療画像情報管理システム。
【請求項５】
前記レコード部は、前記識別ラベル、前記ファイル・パスに、検査ＩＤまたは前記画像データにかかるファイル・サイズを含むことを特徴とする請求項１、請求項２、請求項３または請求項４のいずれかに記載の医療画像情報管理システム。
【請求項６】
前記データベース部は、通信ネットワークに接続される画像サーバー内に設けられることを特徴とした請求項１、請求項２、請求項３、請求項４または請求項５のいずれかに記載の医療画像情報管理システム。
【請求項７】
前記レコード部をサーチして前記撮像装置毎の前記画像情報の量を従量課金の基礎データとすることを特徴とする請求項１、請求項２、請求項３、請求項４、請求項５または請求項６のいずれかに記載の医療画像情報管理システム。
【発明の詳細な説明】
【０００１】
【発明の属する技術分野】
本発明は、医療分野等において扱われる画像情報を管理する医療画像情報管理システムに関するものである。
【０００２】
【従来の技術】
医療分野等にあっては、ＣＴ画像、ＭＲ画像、レントゲン画像等を扱うことがあり、これらの医療画像は画像サーバ等に保存され、記録される。このようなシステムは、例えば、特開２００２−１５３４２７等に開示されている。
【０００３】
【特許文献１】
特開２００２−１５３４２７号公報
【０００４】
このような従来の医療画像情報管理システムは、端的には、図２のブロック図に表わすようなシステムに集約される。
【０００５】
即ち、図２にあって、ＣＴ装置Ｓ１，Ｓ２、ＭＲ装置Ｓ３、Ｘ線装置Ｓ４等のような医療画像撮像装置、これらの装置で得られた画像情報をモニタするビューワＳ５等が通信ネットワークＮにより相互に接続される。
【０００６】
画像サーバーＳ０は、同じ通信ネットワークＮに接続し、ＣＴ装置Ｓ１，Ｓ２、ＭＲ装置Ｓ３、Ｘ線装置Ｓ４等で取得した画像情報を格納する、一般的なコンピュータ・システムである。
【０００７】
通信部Ｃは、ＤＩＣＯＭ規格（Ｄｉｇｉｔａｌ  Ｉｍａｇｉｎｇ  Ｃｏｍｍｕｎｉｃａｔｉｏｎｓ  ｉｎ  Ｍｅｄｉｃｉｎｅ：医用ディジタル画像と通信に関する標準規格）を備え、装置Ｓ１，Ｓ２，Ｓ３，Ｓ４から画像情報を受信する。
【０００８】
そして、受信した画像情報につき、患者情報、ディレクトリ、ファイル名情報等を含む画像レコードＬ１はデータベース部ＤＢに格納され、この画像レコードＬ１に対応する画像データＦ１はストレージ部ＳＴに格納される。
【０００９】
そして、画像ビューワＳ５から画像情報を取得するには、通信ネットワークＮを介して画像サーバーＳ０にアクセス、検索し、所望の画像情報を得ている。
【００１０】
ここで、装置Ｓ１，Ｓ２，Ｓ３，Ｓ４から画像情報を受信する際、データベース部ＤＢでは、図３に示すフローにより、ファイル名、保存ディレクトリが決定される。
【００１１】
ＣＴ装置Ｓ１，Ｓ２から送信された画像データについては、例えば、装置種別として「ＣＴ発番」され、ファイル名として「ＣＴ０００００１」が付けられる。その後に送信された画像情報についても同様にして、「ＣＴ０００００２」、「ＣＴ０００００３」というように、連番でファイル名が付けられる。
【００１２】
また、ＭＲ装置Ｓ３、Ｘ線装置Ｓ４についても同様にして、「ＭＲ発番」、「ＣＲ発番」され、ファイル名「ＭＲ０００００１」、「ＣＲ０００００１」が付けられる。
【００１３】
そして、これらの画像データ「ＣＴ０００００１」〜、「ＭＲ０００００１」、「ＣＲ０００００１」は、保存ディレクトリとして、「／ＩＭＡＧＥ／ＤＤ（日）」の下に格納される。
【００１４】
つまり、「／ＩＭＡＧＥ／１２／ＣＴ０００００１」（「１２」は例えば、５月１２日の「１２」である）というように、ディレクトリ、ファイル名が決定される。他の画像データについても、「／ＩＭＡＧＥ／１２／ＭＲ０００００１」、「／ＩＭＡＧＥ／１２／ＣＲ０００００１」というように保存される。
【００１５】
【発明が解決しようとする課題】
しかしながら、上記のような医療画像情報管理システムは、画像情報を保存するためのディレクトリは、撮像装置の種別には関係なく一つのディレクトリ固定であった。
【００１６】
このため、このディレクトリをサーチしてもどの撮像装置で撮像した画像データであるのか判別できない、一つのディレクトリに多数のファイル（画像データ）が保存されるため、ファイル検索に時間がかかる、という問題があった。
【００１７】
本発明は、以上の問題を解決することを課題とし、撮像装置毎に画像データを管理できるようにすることを目的とする。
【００１８】
【課題を解決するための手段】
上記した課題を解決した本発明は、次の通りである。
（１）医療画像情報にかかるレコード部を備えるデータベース部を備える医療画像情報管理システムにおいて、前記レコード部に、撮像装置を判別する識別ラベルを定義するフィールドを設定したことを特徴とする医療画像情報管理システム。
（２）前記レコード部は、前記識別ラベル毎のディレクトリを指定するファイル・パスを定義することを特徴とする（１）記載の医療画像情報管理システム。
（３）前記識別ラベルは、撮像装置の種別を表わすＡＥ−Ｔｉｔｌｅであることを特徴とする（１）または（２）のいずれかに記載の医療画像情報管理システム。
（４）前記レコード部は、前記医療画像情報にかかる画像データを格納するストレージ部を指定することを特徴とする（１）、（２）または（３）のいずれかに記載の医療画像情報管理システム。
（５）前記レコード部は、前記識別ラベル、前記ファイル・パスに、検査ＩＤまたは前記画像データにかかるファイル・サイズを含むことを特徴とする（１）、（２）、（３）または（４）のいずれかに記載の医療画像情報管理システム。
（６）前記データベース部は、通信ネットワークに接続される画像サーバー内に設けられることを特徴とした（１）、（２）、（３）、（４）または（５）のいずれかに記載の医療画像情報管理システム。
（７）前記レコード部をサーチして前記撮像装置毎の前記画像情報の量を従量課金の基礎データとすることを特徴とする（１）、（２）、（３）、（４）、（５）または（６）のいずれかに記載の医療画像情報管理システム。
【００１９】
【発明の実施の形態】
本発明にかかる医療画像情報管理システムを実施した例を図１のブロック図に表わす。尚、この図は、本発明のシステムにおける画像サーバーＳ０を表わしたものであり、図２と同様に、通信ネットワークＮにはＣＴ装置、ＭＲ装置、レントゲン装置等の撮像装置、ビューワ等が接続されるものとする。
【００２０】
本発明システムの特徴は、画像サーバーＳ０内に設置されるデータベース部ＤＢのレコード構造であり、以下、その構造を詳細に説明する。
【００２１】
ストレージ部ＳＴに保存する画像データＦ１０に対応する画像Ｌ１０のレコードは、検査ＩＤ、ＡＥ−Ｔｉｔｌｅ（撮像装置固有の装置名、装置ラベル）、ファイル・パス、ファイル・サイズ等のフィールドより構成される。
【００２２】
検査ＩＤ（Ｌ１１）は、検査の種類、患者情報等、検査または患者等を識別するフィールドである。
【００２３】
ＡＥ−Ｔｉｔｌｅ（Ｌ１２）は、ＣＴ装置、ＭＲ装置、レントゲン装置等の撮像装置、ビューワ等の装置固有の装置名、装置ラベルであり、このシステムに設置される撮像装置を判別する識別ラベルである。
【００２４】
ファイル・パス（Ｌ１３）は、ストレージ部ＳＴに保存される画像データＦ１０に対するファイル・パスを定義するフィールドであり、本発明の特徴部分である。即ち、ファイル・パスＬ１３は、「／ＩＭＡＧＥ／ＡＥ−Ｔｉｔｌｅ／ＹＹＹＹＭＭ／ＤＤ／ＸＸＸＸＸＸＸＸ」と定義する。
【００２５】
ここで、「／ＩＭＡＧＥ」は画像情報を格納するフォルダ名、「ＡＥ−Ｔｉｔｌｅ」は上述したような装置ラベル、「ＹＹＹＹＭＭ」は年月、「ＤＤ」は日を表わす。
【００２６】
更に、「ＸＸＸＸＸＸＸＸ」は、装置毎の発番であり、ＣＴ装置からの１番目の画像情報であれば、画像ファイル名「ＣＴ０００００１」と定義され、ＭＲ装置からの１番目の画像情報であれば、画像ファイル名「ＭＲ０００００１」というように定義される。
【００２７】
そして、ファイル・サイズＬ１４は、画像データＦ１０の大きさ、容量を定義するフィールドである。
【００２８】
尚、画像ディレクトリとして、画像情報の受信日（／ＹＹＹＹＭＭ／ＤＤ／）を定義し、一つのディレクトリの下にファイルが集中しないようにしてある。
【００２９】
次に、このような構成の本発明のシステムの動作を説明する。
ＣＴ装置、ＭＲ装置、Ｘ線装置等の撮像装置からの画像情報は、通信ネットワークＮを介してこの画像サーバＳ０の通信部Ｃに受信される。
【００３０】
はじめに、この画像情報を識別する、患者情報、検査情報等を含む検査ＩＤがフィールドＬ１１に格納される。
【００３１】
そして、この時点で、通信部Ｃでは、画像情報送受信のための通信プロトコルを撮像装置側とで送受信しているため、画像情報を送信してくる撮像装置の種別を把握していて、その撮像装置の識別ラベルを「ＡＥ−Ｔｉｔｌｅ」としてフィールドＬ１２に格納する。
【００３２】
次に、フィールドＬ１３に、この画像情報に含まれる画像データをストレージ部ＳＴに格納する領域を指定するためのファイル・パスを定義する。上記したように、例えば、このフィールドＬ１３は、「／ＩＭＡＧＥ／ＡＥ−Ｔｉｔｌｅ／ＹＹＹＹＭＭ／ＤＤ／ＸＸＸＸＸＸＸＸ」となる。
【００３３】
詳しくは、２００３年４月１５日、ＣＴ装置からの第１番目の画像データに対するファイル・パスは、「／ＩＭＡＧＥ／ＣＴ１／２００３０４／１５／ＣＴ０００００１」と定義される。
【００３４】
フィールドＬ１４には、当該画像データにかかる容量、ファイル・サイズが格納される。
【００３５】
引き続き、画像データは、フィールドＬ１３に規定されたファイル・パスに従って、ストレージ部ＳＴの対応する領域に画像データＦ１０として格納される。
【００３６】
画像サーバーＳ０に送信されてきた画像情報は、全て上述のようにデータベース部ＤＢ、ストレージ部ＳＴに定義、格納される。
【００３７】
このように、データベース部ＤＢにあって、レコード構造が定義されるが、通信ネットワークＮを介してビューワ側から画像データを読み出す手順、要領は、従来と同様である。
【００３８】
以上説明したように、データベース部ＤＢを上述のレコード構成としたので、後になって、フィールドＬ１２のＡＥ−Ｔｉｔｌｅをサーチすることにより、撮像装置毎に、その画像発生量（画像受信量）を把握することができる。
【００３９】
また、撮像装置毎の画像情報の量を把握することにより、即ち、レコード部をサーチして撮像装置毎の画像情報の量を基礎データとして用いることにより、撮像装置側から画像サーバーの使用料を従量課金として行うように、既存の従量課金システムを付加するようにしてもよい。
【００４０】
また更に、実施例にあっては、画像サーバーＳ０内に、データベース部ＤＢ、ストレージ部ＳＴが設置されている例を表わしたが、通信ネットワークＮ上に、それぞれが一つのコンピュータ・システムとして独立して構成され、接続されるようにしてもよい。
【００４１】
【発明の効果】
本発明によれば、撮像装置毎に画像データを管理できるため、データベース部をサーチすることにより、どの撮像装置で撮像した画像データであるのかを容易に判別することができ、また、一つのディレクトリに多数のファイル（画像データ）が保存されることはないので、ファイル検索に時間がかかることはない。
【００４２】
また更に、本発明によれば、撮像装置毎に、画像情報を管理することができるので、撮像装置側に、後日、画像サーバーの使用料を従量課金を行うためのデータを正確に作成することができる。
【図面の簡単な説明】
【図１】本発明の医療画像情報管理システムを表わす構成ブロック図である。
【図２】従来の医療画像情報管理システムを表わす構成ブロック図である。
【図３】従来のシステムにおける医療画像情報管理の概念図である。
【符号の説明】
Ｓ０  画像サーバー
Ｓ１，Ｓ２  ＣＴ装置
Ｓ３  ＭＲ装置
Ｓ４  Ｘ線装置
Ｓ５  ビューワ
Ｎ  通信ネットワーク
ＤＢ  データベース部
ＳＴ  ストレージ部
【図１】
2004326276.tif 000003
【図２】
2004326276.tif 000004
【図３】
2004326276.tif 000005